(57)【特許請求の範囲】
【請求項１】
内部に一対の電極が対向配置されると共に０．１５ｍｇ／ｍｍ３以上の水銀と１０−６μｍｏｌ／ｍｍ３〜１０−２μｍｏｌ／ｍｍ３の範囲でハロゲンが封入された略球状の発光部と該発光部の両端から伸びる円柱状の封止部と該封止部の端部から突出すると共に交流電流が入力される外部リードとからなる交流点灯型高圧水銀ランプと、
前記発光部を囲むように配置される凹面状の反射部と筒状の首部とからなる反射鏡と、
筒状の首部に連接された筒状のベース部材と、
前記ベース部材と前記封止部との間に充填されてこれらを固定する接着剤と、
前記外部リードに接続される給電線と、
からなる光源装置において、
前記反射鏡の反射部に貫通孔を設け、
該貫通孔に柔軟性を有するチューブが挿入され、該チューブは前記反射鏡の反射面とは反対側にのみつば部を有しており、
前記給電線を前記チューブから導出させている
ことを特徴とする光源装置。
【請求項２】
内部に一対の電極が対向配置されると共に０．１５ｍｇ／ｍｍ３以上の水銀と１０−６μｍｏｌ／ｍｍ３〜１０−２μｍｏｌ／ｍｍ３の範囲でハロゲンが封入された略球状の発光部と該発光部の両端から伸びる円柱状の封止部と該封止部の端部から突出すると共に交流電流が入力される外部リードとからなる交流点灯型高圧水銀ランプと、
前記発光部を囲むように配置される凹面状の反射部と筒状の首部とからなる反射鏡と、
前記首部と前記封止部との間に充填されてこれらを固定する接着剤と、
前記外部リードに接続される給電線と、
からなる光源装置において、
前記反射鏡の反射部に貫通孔を設け、
該貫通孔に柔軟性を有するチューブが挿入され、該チューブは前記反射鏡の反射面とは反対側にのみつば部を有しており、
前記給電線を前記チューブから導出させている
ことを特徴とする光源装置。
【請求項３】
前記貫通孔と前記柔軟性を有するチューブとの間に金属管を設けた
ことを特徴とする請求項１又は２に記載の光源装置。
【発明の詳細な説明】
【技術分野】
【０００１】
本発明は、プロジェクタに用いられるための光源装置に関する。特に、光源が交流点灯される光源装置に関する。
【背景技術】
【０００２】
プロジェクタ装置には、液晶プロジェクタ装置やＤＬＰ（テキサス・インスツルメンツ社商標）プロジェクタ装置がある。これらのプロジェクタ装置に用いられる投射用光源として高圧水銀ランプが用いられる。高圧水銀ランプに反射鏡を組み合せたものが光源装置であり、この光源装置がプロジェクタ装置に組み込まれて使用される。
【０００３】
図１７は、特許文献１に記載される従来の光源装置１を説明するためのものであり、高圧水銀ランプ５の一対の対向された電極５２１，５２２に沿った断面図である。
光源装置１は、凹面状の反射面２１１を有する反射鏡２と、反射面２１１の第一焦点に電極５２１，５２２間の中心が一致するように配置された高圧水銀ランプ５とからなる。
反射鏡２は、反射面２１１を有する反射部２１と筒状の首部２２とからなる。反射部２１には、後述する他方の給電線５５２を導出するため、貫通孔２３が設けられる。反射鏡２の首部２２の端部には筒状のベース部材３が接し、首部２２の挿入口２４にベース部材３の挿入口３１が連続するように配置される。反射鏡２とベース部材３は接着剤６２などにより接続される。
反射鏡２の反射面２１１からの反射光を出射させる開口には、光出射板４が配置される。
【０００４】
高圧水銀ランプ５は、略球状の発光部５１１とその両端から伸びる封止部５１２，５１３とからなる放電管５１と、発光部５１１に封入される電極５２１，５２２と、封止部５１２，５１３から突出する外部リード５４１，５４２と、電極５２１，５２２と外部リード５４１，５４２とを電気的に接続すると共に封止部５１２，５１３に埋設される箔５３とからなる。
発光管５１１の内部には、一対の電極５２１，５２２の先端が対向するように配置され、発光金属として水銀が封入される。
高圧水銀ランプ５の一方の封止部５１２は、反射鏡２とベース部材３の連続した挿入口２４，３１に挿入され、ベース部材３との間に接着剤６１が充填されて接着される。これにより、高圧水銀ランプ５は反射鏡２に固定され、他方の封止部５１３が光出射板４に向かって伸びるように配置される。他方の封止部５１３には他方の外部リード５４２が突出しており、他方の外部リード５４２に接続された他方の給電線５５２は、反射部２１の貫通孔２３を通って反射鏡２の外部に導出される。
【０００５】
【特許文献１】特開２００７−０６６７４２号公報
【発明の開示】
【発明が解決しようとする課題】
【０００６】
交流点灯型の高圧水銀ランプを備えた光源装置において、使用時に音が発生するという問題が生じた。特に、プロジェクタ稼動開始後数分間において光源装置からの音がプロジェクタの外部に漏れ出し、プロジェクタの使用者に不快な音として聞こえ、プロジェクタの使用の妨げとなっていた。
【０００７】
そこで、本願の目的は、交流点灯初期における光源装置からの音の音量を抑制することにある。
【課題を解決するための手段】
【０００８】
第１の発明に係る光源装置は、内部に一対の電極が対向配置されると共に０．１５ｍｇ／ｍｍ３以上の水銀と１０−６μｍｏｌ／ｍｍ３〜１０−２μｍｏｌ／ｍｍ３の範囲でハロゲンが封入された略球状の発光部と該発光部の両端から伸びる円柱状の封止部と該封止部の端部から突出すると共に交流電流が入力される外部リードとからなる交流点灯型高圧水銀ランプと、前記発光部を囲むように配置される凹面状の反射部と筒状の首部とからなる反射鏡と、筒状の首部に連接された筒状のベース部材と、前記ベース部材と前記封止部との間に充填されてこれらを固定する接着剤と、前記外部リードに接続される給電線と、からなる光源装置において、前記封止部の伸びる方向における接着剤が充填された長さをＬ１（ｍｍ）とし、前記封止部の直径をＲ（ｍｍ）とした場合、Ｌ１／Ｒ≧０．５であることを特徴とする。
【０００９】
第２の発明に係る光源装置は、内部に一対の電極が対向配置されると共に０．１５ｍｇ／ｍｍ３以上の水銀と１０−６μｍｏｌ／ｍｍ３〜１０−２μｍｏｌ／ｍｍ３の範囲でハロゲンが封入された略球状の発光部と該発光部の両端から伸びる円柱状の封止部と該封止部の端部から突出すると共に交流電流が入力される外部リードとからなる交流点灯型高圧水銀ランプと、前記発光部を囲むように配置される凹面状の反射部と筒状の首部とからなる反射鏡と、前記首部と前記封止部との間に充填されてこれらを固定する接着剤と、前記外部リードに接続される給電線と、からなる光源装置において、前記封止部の伸びる方向における接着剤が充填された長さをＬ１（ｍｍ）とし、前記封止部の直径をＲ（ｍｍ）とした場合、Ｌ１／Ｒ≧０．５であることを特徴とする。
【００１０】
第３の発明に係る光源装置は、第１又は第２の発明に係る光源装置において、前記反射鏡の反射部に貫通孔を設け、前記給電線を前記貫通孔から導出させ、前記貫通孔に接着剤を充填させたことを特徴とする。
【００１１】
第４の発明に係る光源装置は、第１又は第２の発明に係る光源装置において、前記反射鏡の反射部に貫通孔を設け、前記給電線を前記貫通孔から導出させ、前記貫通孔と前記給電線との間に柔軟性を有するチューブを介在させたことを特徴とする。
【００１２】
第５の発明に係る光源装置は、第４の発明に係る光源装置において、前記貫通孔と前記柔軟性を有するチューブとの間に金属管を設けたことを特徴とする。
【発明の効果】
【００１３】
第１の発明に係る光源装置は、上記特徴により、交流点灯初期の光源装置からの音量を抑制することができる。
【００１４】
第２の発明に係る光源装置は、上記特徴により、交流点灯初期の光源装置からの音量を抑制することができる。
【００１５】
第３の発明に係る光源装置は、上記特徴により、交流点灯時の給電線と反射鏡とが摺接されることによる音の発生を防止することができる。
【００１６】
第４の発明に係る光源装置は、上記特徴により、交流点灯時の給電線と反射鏡とが摺接されることによる音の発生を防止することができる。
【００１７】
第５の発明に係る光源装置は、上記特徴により、交流点灯時の給電線と反射鏡とが摺接されることによる音の発生を防止することができる。さらに、給電線と金属管とが摺接されることによる音の発生を防止することができる。
【発明を実施するための最良の形態】
【００１８】
本発明に係る光源装置１の第１の実施例を、図１を用いて説明する。
【００１９】
図１は本発明に係る光源装置１の説明図である。図１（ａ）は高圧水銀ランプ５の一対の電極５２１，５２２に沿った断面図であり、（ｂ）は（ａ）の一方の封止部５１２の中心軸方向に対し垂直方向の断面図（Ａ−Ａ断面図）である。図１には、図１７に示したものと同じものに同一の符号が付されている。
【００２０】
本発明に係る光源装置１は、凹面状の反射面２１１を有する反射鏡２と、凹面状の反射面２１１に発光部５１１が囲まれるように配置された高圧水銀ランプ５とからなる。
【００２１】
反射鏡２は、凹面状の反射面２１１を有する反射部２１と筒状の首部２２とからなり、例えばホウケイ酸ガラスのような耐熱性ガラス材料や、例えばアルミニウム又は銅のような金属材料により形成される。反射鏡２は反射部２１と首部２２を一体になるように、金属材料から削り出すことにより漏斗状になる。反射鏡２には、筒状の首部２２から反射部２１を貫くように、高圧水銀ランプ５が挿入される挿入口２４が設けられる。
なお、反射鏡２は、反射部２１と首部２２が別体のものであって、溶接などにより物理的に一体に形成されたものであってもかまわない。
【００２２】
反射部２１の凹面状の反射面２１１は、例えばアルミニウムやロジウムなどの金属蒸着膜、あるいはシリカ（ＳｉＯ２）とチタニア（ＴｉＯ２）を積層させてなる誘電体多層膜が形成される。
なお、反射鏡２が所望の光を反射できる金属材料により形成されて金属光沢からなる反射面２１１を有する場合は、金属蒸着膜や誘電体多層膜を設けなくてもかまわない。
反射部２１には、後述する高圧水銀ランプ５の他方の給電線５５２を凹面状の反射面２１１から外部に導出するため、貫通孔２３が設けられる。
なお、反射鏡２が金属材料により形成される場合、反射部２１の貫通孔２３には、例えばアルミナ（Ａｌ２Ｏ３）からなる図示しない絶縁管が設けられる。これにより、反射鏡２と他方の給電端子５５２とが導通することを防止できる。
【００２３】
反射鏡の首部２２の端部には、筒状のベース部材３の挿入口３１と反射鏡２の挿入口２４とが連続するように、筒状のベース部材３が配置される。筒状のベース部材３は、例えばセラミック材料のような耐熱性を有する材料で形成され、接着剤６１などにより反射鏡２に接続される。
筒状のベース部材３の挿入口３１に後述する高圧水銀ランプ５の一方の封止部５１２が配置され、一方の封止部５１２とベース部材３との間に耐熱性を有する接着剤６１である例えば無機質系接着剤が充填される。
【００２４】
高圧水銀ランプ５は、略球状の発光部５１１とその両端に伸びる円柱状の封止部５１２，５１３とからなる放電管５１と、発光部５１１の内部に対向配置される一対の電極５２１，５２２と、発光部５１１の内部に封入される０．１５ｍｇ／ｍｍ３以上の水銀と、封止部５１２，５１３の端部から突出する外部リード５４１，５４２と、封止部５１２，５１３に埋設される箔５３とからなる。
【００２５】
放電管５１は例えば石英ガラスから形成される。放電管５１の発光部５１１の内部には、０．１５ｍｇ／ｍｍ３以上の水銀と共に、１０−６μｍｏｌ／ｍｍ３〜１０−２μｍｏｌ／ｍｍ３の範囲のハロゲンガスとして例えば臭素と、希ガスとして例えば１３ＫＰａのアルゴンガスとが封入される。発光部５１１の内部には例えばタングステンからなる一対の電極５２１，５２２が、その両先端の間隔を２ｍｍ以下で対向させて配置される。
放電管５１の封止部５１２，５１３は、発光部５１１の両端から伸びる石英ガラスのパイプ体の内部を減圧状態で加熱溶融することにより円柱状に形成されたものであり、すなわちシュリンクシール法により形成されたものである。封止部５１２，５１３の内部には電極と、封止部５１２，５１３の端部から突出する外部リード５４１，５４２とが、電気的に接続されるように、例えばモリブデンからなる金属箔５３が埋設されている。
【００２６】
高圧水銀ランプ５の一方の封止部５１２はベース部材３の挿入口３１に配置され、図１（ｂ）に示すように、円柱状の封止部５１２，５１３の径方向の外周と筒状のベース部材３の内周との間に接着剤６１が充填される。これにより、高圧水銀ランプ５は、ベース部材３に固定され、ベース部材３を介して反射鏡２に固定される。反射鏡２に固定された高圧水銀ランプ５は、他方の封止部５１３が後述する光出射板４に向かって伸びるように配置される。
接着剤６１は耐熱性を有する例えば無機質系接着剤が好適に用いられる。
高圧水銀ランプ５の他方の封止部５１３から突出する他方の外部リード５４２に接続された他方の給電線５５２は、反射鏡２の貫通孔２３を通って反射鏡２の凹面状の反射面２１１から導出される。
高圧水銀ランプ５に接続された給電線５５１，５５２は図示しない電源に接続される。
【００２７】
反射鏡２の凹面状の反射面２１１は例えば回転楕円を短径部分で半分にした面形状をしており、首部２２に近接する第１焦点に高圧水銀ランプ５の電極５２１，５２２間の中心が一致するように配置される。反射鏡２の反射部２１は第１焦点に対して第２焦点に向かう方向に開口を有し、光源装置１の所望の光を出射する円盤状の光出射板４が反射部２１の開口に蓋をするように配置される。
なお、反射鏡２の凹面状の反射面２１１は、回転放物状であってもかまわない。反射面２１１が回転放物状であるとき、高圧水銀ランプ５の電極５２１，５２２間の中心は、回転放物状の反射面２１１の焦点に一致するように配置される。
【００２８】
光出射板４は、例えばホウケイ酸ガラスなどにより形成される。光出射板４は、ランプ５点灯時に蒸発した水銀によって高圧となった高圧水銀ランプ５が破裂したときに、防爆として機能する。
なお、光源装置１が用いられる図示しないプロジェクタに防爆機能があるときは、光出射板４は設けなくてかまわない。
【００２９】
図１（ａ）に示すように、封止部５１２，５１３の伸びる方向（中心軸方向）において、高圧水銀ランプ５の一方の封止部５１２の外周とベース部材３の内周との間に充填された接着剤６１の長さをＬ１とする。また、図１（ｂ）に示すように、高圧水銀ランプ５の一方の封止部５１２の直径をＲとする。本実施例に係る光源装置１は、Ｌ１／Ｒ≧０．５としたものである。
【００３０】
ランプ５点灯初期、図示しない電源から高圧水銀ランプ５の外部リード５４１，５４２に直流電流が５秒間入力され、電極５２１，５２２間で放電が起きる。直流電流の入力後に交流電流が入力されて、電極５２１，５２２間の放電が継続される。電極５２１，５２２間の放電により、高圧水銀ランプ５の発光部５１１から光が照射され、一部が光出射板４に向かう。光出射板４に向かわない光は反射面２１１に向かい、反射面２１１によって反射されて光出射板４に向かう。これらにより、高圧水銀ランプ５からの光は光出射板４を透過して照射される。
直流電流入力時には例えば一方の電極５２１が放電の起点になっているのに対して、交流電流入力時には一方の電極５２１と他方の電極５２２とが交互に放電の起点となる。これにより、交流電流入力時に、一対の電極５２１，５２２の温度上昇・下降を繰り返すことによって、圧力変動が起き、高圧水銀ランプ５は振動すると考えられる。特に、交流点灯初期における発光部５１１内では、水銀が完全蒸発する途中なので、圧力変動が大きい。このため、交流点灯初期の高圧水銀ランプ５の振動は特に大きいと考えられる。図示しないプロジェクタに固定される反射鏡２に対して、振動する高圧水銀ランプ５は接着剤６１を介して固定される。このため、交流点灯時における音は、接着剤６１付近から発生していると考えられる。本実施例に係る光源装置１は、高圧水銀ランプ５の一方の封止部５５１の直径Ｒとその外周に配置された接着剤６１の長さＬ１との関係がＬ１／Ｒ≧０．５となることにより、後述の実験に示すように、交流点灯初期における光源装置１の振動による音量を抑制することができる。
【００３１】
本実施例に係る光源装置１は、内部に一対の電極５２１，５２２が対向配置されると共に０．１５ｍｇ／ｍｍ３以上の水銀と１０−６μｍｏｌ／ｍｍ３〜１０−２μｍｏｌ／ｍｍ３の範囲でハロゲンが封入された略球状の発光部５１１と発光部５１１の両端から伸びる円柱状の封止部５１２，５１３と封止部５１２，５１３の端部から突出すると共に交流電流が入力される外部リード５４１，５４２とからなる交流点灯型高圧水銀ランプ５と、発光部５１１を囲むように配置される凹面状の反射部２１と筒状の首部２２とからなる反射鏡２と、筒状の首部２２に連接された筒状のベース部材３と、前記ベース部材３と封止部５１２，５１３との間に充填されてこれらを固定する接着剤６１と、外部リード５４１，５４２に接続される給電線５５１，５５２と、からなる光源装置１において、封止部５１２，５１３の伸びる方向における接着剤６１が充填された長さをＬ１（ｍｍ）とし、封止部６１の直径をＲ（ｍｍ）とした場合、Ｌ１／Ｒ≧０．５であることを特徴とすることにより、交流点灯初期の光源装置１からの音量を抑制することができる。
【００３２】
人間の可聴範囲は一般的に２０Ｈｚから２０ＫＨｚの間だと言われている。本実施例に係る光源装置１が用いられる図示しないプロジェクタには様々な機器が搭載されており、例えば冷却ファンなどが搭載されている。図示しないプロジェクタ稼動時、これらの機器は動作音を発している。このとき、光源装置１以外の機器の動作音が８ＫＨｚ〜１２ＫＨｚ以外の周波数の音量が大きいため、光源装置１のランプ５点灯時の動作音が８ＫＨｚ〜１２ＫＨｚの周波数の音量が大きいと、光源装置１の動作音が図示しないプロジェクタの使用者に認識されることがあった。この認識される８ＫＨｚ〜１２ＫＨｚの周波数の音は、後述する実験例に示すように、人間にとって耳障りな音であった。
このため、封止部５１２，５１３の伸びる方向（中心軸方向）において、電極５２１，５２２間の中心から一方の封止部５１２の外周とベース部材４の内周との間に充填された接着剤６１の発光部５１１側端面６１１までの距離をＬ２とし、Ｌ２≦１６ｍｍ又はＬ２≧２０ｍｍにすることにより、後述する実験例に示すように、光源装置１のランプ５点灯時のピーク周波数を１２ＫＨｚ以上又は８ＫＨｚ以下にすることができる。これにより、光源装置１の動作音を、図示しないプロジェクタの使用者にとって耳障りでない周波数にすることができる。さらに、光源装置１の動作音が他の機器の動作音と同じ周波数になることにより、図示しないプロジェクタの使用者に認識されないようにすることができる。
特に、一対の電極５２１，５２２方向において、電極５２１，５２２間の中心から接着剤６１までの距離Ｌ２をＬ２≦１４ｍｍにすることにより、ピーク周波数を２０ＫＨｚ以上にすることができる。周波数２０ＫＨｚは人間の可聴範囲外であるので、図示しないプロジェクタの使用者にとって認識できない音にすることができる。
【００３３】
本発明に係る光源装置１の第１の実施例の別の実施例を、図２を用いて説明する。
図２は本発明に係る光源装置１の説明図である。図２（ａ）は高圧水銀ランプ５の一対の電極５２１，５２２に沿った断面図であり、（ｂ）は（ａ）の一方の封止部５１２の中心軸方向に対して垂直方向の断面図（Ｂ−Ｂ断面図）である。図２には、図１に示したものと同じものには同一の符号が付されている。
【００３４】
図２に示す光源装置１は、光出射板４を設けない点と、反射部２１に貫通孔２３を設けない点で、図１と相違する。図２の説明として、図１との相違点について述べる。
【００３５】
高圧水銀ランプ５の一方の封止部５１２がベース部材３に固定されることにより、他方の封止部５１３が反射部２１の開口に向かって伸びるように配置される。他方の封止部５１３から突出する他方の外部リード５４２には、他方の給電線５５２が電気的に接続されている。この他方の給電線５５２は、反射部２１の開口から外部に導出される。反射部２１の外部に導出された他方の給電線５５２は図示しない電源に接続される。
【００３６】
本実施例に係る光源装置１においても、図１の光源装置１と同様に、高圧水銀ランプ５の一方の封止部５１２の直径Ｒとその外周に配置された接着剤６１の長さＬ１との関係がＬ１／Ｒ≧０．５となることにより、図１の光源装置１と同様の効果を得ることができる。
【００３７】
さらに、封止部５１２，５１３の伸びる方向（中心軸方向）において、電極５２１，５２２間の中心から一方の封止部５１２の外周とベース部材４の内周との間に充填された接着剤６１の発光部５１１側端面６１１までの距離Ｌ２をＬ２≦１６ｍｍ又はＬ２≧２０ｍｍにする本実施例に係る光源装置１においても、図１の光源装置１と同様の効果を得ることができる。
また、一対の電極５２１，５２２方向において、電極５２１，５２２間の中心から一方の封止部５１２の外周とベース部材４との間に充填された接着剤６１の発光部５１１側端面６１１までの距離Ｌ２をＬ２≦１４ｍｍにする本実施例に係る光源装置１においても、図１の光源装置１と同様の効果を得ることができる。
【００３８】
本発明に係る光源装置１の第２の実施例を、図３を用いて説明する。
図３は本発明に係る光源装置１の説明図である。図３（ａ）は高圧水銀ランプ５の一対の電極５２１，５２２に沿った断面図であり、（ｂ）は（ａ）の一方の封止部５１２の中心軸方向に対して垂直方向の断面図（Ｃ−Ｃ断面図）である。図３には、図１に示したものと同じものには同一の符号が付されている。
【００３９】
図３に示す光源装置１は、筒状のベース部材３を設けない点と、高圧水銀ランプ５の一方の封止部５１２を反射鏡２の首部２２に固定した点で、図１と相違する。図３の説明として、図１との相違点について述べる。
【００４０】
高圧水銀ランプ５の一方の封止部５１２は、反射鏡２の挿入口２４に挿入され、反射鏡２の筒状の首部２２の内方に配置される。高圧水銀ランプ５は、円柱状の一方の封止部５１２の外周と反射鏡２の首部２２の内周との間に接着剤６１が充填され、反射鏡２に固定される。
【００４１】
本実施例に係る光源装置１は、封止部５１２，５１３の伸びる方向（中心軸方向）において、高圧水銀ランプ５の一方の封止部５１２の外周と筒状の首部２２の内周との間に充填された接着剤の長さをＬ１とする。
また、封止部５１２，５１３の伸びる方向（中心軸方向）において、電極５２１，５２２間の中心から一方の封止部５１２の外周と反射鏡２の首部２１の内周との間に充填された接着剤６１の発光部５１１側端面６１１までの距離をＬ２とする。
【００４２】
本実施例に係る光源装置１は、内部に一対の電極５２１，５２２が対向配置されると共に０．１５ｍｇ／ｍｍ３以上の水銀と１０−６μｍｏｌ／ｍｍ３〜１０−２μｍｏｌ／ｍｍ３の範囲でハロゲンが封入された略球状の発光部５１１と発光部５１１の両端から伸びる円柱状の封止部５１２，５１３と封止部５１２，５１３の端部から突出すると共に交流電流が入力される外部リード５４１，５４２とからなる交流点灯型高圧水銀ランプ５と、発光部５１１を囲むように配置される凹面状の反射部２１と筒状の首部２２とからなる反射鏡２と、首部２２と封止部５１２，５１３との間に充填されてこれらを固定する接着剤６１と、外部リード５４１，５４２に接続される給電線５５１，５５２と、からなる光源装置１において、封止部５１２，５１３の伸びる方向における接着剤６１が充填された長さをＬ１（ｍｍ）とし、封止部５１２，５１３の直径をＲ（ｍｍ）とした場合、Ｌ１／Ｒ≧０．５であることを特徴とすることにより、交流点灯初期の光源装置１からの音量を抑制することができる。
【００４３】
さらに、封止部５１２，５１３の伸びる方向（中心軸方向）において、電極５２１，５２２間の中心から一方の封止部５１２の外周と反射鏡２の首部２１の内周との間に充填された接着剤６１の発光部５１１側端面６１１までの距離Ｌ２をＬ２≦１６ｍｍ又はＬ２≧２０ｍｍにする本実施例に係る光源装置１においても、図１の光源装置１と同様の効果を得ることができる。
また、封止部５１２，５１３の伸びる方向（中心軸方向）において、電極５２１，５２２間の中心から一方の封止部５１２の外周と反射鏡２の首部２１の内周との間に充填された接着剤６１の発光部５１１側端面６１１までの距離Ｌ２をＬ２≦１４ｍｍにする本実施例に係る光源装置１においても、図１の光源装置１と同様の効果を得ることができる。
【００４４】
なお、本実施例においても、図２に示す光源装置１のように、反射部２１に貫通孔を設けず、さらに光出射板を設けなくても、図３の光源装置と同様の効果を得られる。
【００４５】
本発明に係る光源装置１の第３の実施例を、図４を用いて説明する。
図４は本発明に係る光源装置１の説明図であり、高圧水銀ランプ５の一対の電極５２１，５２２に沿った断面図である。図４には、図１に示したものと同じものには同一の符号が付されている。
【００４６】
図４に示す光源装置１は、貫通孔２３に接着剤６３を充填させた点で、図１と相違する。図４の説明として、図１との相違点について述べる。
【００４７】
本実施例における光源装置１は高圧水銀ランプ５の一方の封止部５１２が反射鏡２に直接的に固定されているのに対して、他方の封止部５１３は一方の封止部５１２を通じて反射鏡２に間接的に固定されている。このため、交流点灯時、高圧水銀ランプ５が振動するとき、一方の封止部５１２は反射鏡２に直接的に固定されることにより、振動を抑制されて振動が小さい。これに対して、他方の封止部５１３は反射鏡２に間接的に固定されていることにより、振動を抑制されにくいので振動が大きい。他方の封止部５１３の振動が大きいとき、他方の封止部５１３から突出する他方の外部リード５４２に接続された他方の給電線５５２が大きく振動され、貫通孔２３周辺の反射鏡２と他方の給電線５５２が摺接されて騒音を発することがある。
このため、貫通孔２３に耐熱性を有する接着剤６３として無機質系接着剤を充填することにより、他方の給電線５５２が反射鏡２に直接的に固定される。これにより、他方の給電線５５２が反射鏡２に摺接されることを防止でき、光源装置１からの騒音を防止できる。
【００４８】
本実施例に係る光源装置１は、反射鏡２の反射部２１に貫通孔２３を設け、給電線５５２を貫通孔２３から導出させ、貫通孔２３に接着剤６３を充填させたことを特徴とすることにより、交流点灯時の他方の給電線５５２と反射鏡２とが摺接されることによる音の発生を防止することができる。
【００４９】
本発明に係る光源装置１の第４の実施例を、図５を用いて説明する。
図５は本発明に係る光源装置１の説明図であり、高圧水銀ランプ５の一対の電極５２１，５２２に沿った断面図である。図５には、図１に示したものと同じものには同一の符号が付されている。
【００５０】
図５に示す光源装置１は、他方の給電線５５２に柔軟性を有するチューブ６４を配置して反射鏡２と他方の給電線５５２を接しないようにした点で、図１と相違する。図５の説明として、図１との相違点について述べる。
【００５１】
貫通孔２３周辺の反射鏡２に囲まれる他方の給電線５５２に、反射部２１及び他方の給電線５５２より柔軟性を有するチューブ６４を設ける。この他方の給電線５５２に設ける柔軟性を有するチューブ６４は、他方の給電線５５２を挿入した熱収縮チューブを貫通孔２３と他方の給電線５５２との間の介在される位置で熱収縮させることで設けることができる。また、貫通孔２３と他方の給電線５５２との間に介在されるように、他方の給電線５５２に接着剤を塗布・乾燥させることで被覆して、柔軟性を有するチューブ６４を設けることもできる。
また、柔軟性を有するチューブ６４は、貫通孔２３と他方の給電線５５２との間の介在される位置に、フィルム状の部材が他方の給電線５５２を被覆するように巻き回されることでチューブ状に形成され、その両端が接着剤などで固定されることで設けられてもかまわない。
【００５２】
貫通孔２３と他方の給電線５５２との間を柔軟性を有するチューブ６４を介在させることにより、交流点灯時、反射鏡２には柔軟性を有するチューブ６４が接する。交流点灯時、高圧水銀ランプ５の他方の封止部５１３の振動が他方の給電線５５２に伝わっても、チューブ６４が柔軟性を有するので振動を吸収し、反射鏡に振動が伝わることを抑制できる。柔軟性を有するチューブ６４の材質は、高圧水銀ランプ５からの照射熱に耐えられる耐熱性を有するものが好適に用いられる。具体的には、例えば、フッ素樹脂，シリコン樹脂，ポリイミド樹脂，エポキシ樹脂が柔軟性を有するチューブの部材として用いることができる。
【００５３】
図５に示すように反射鏡２と柔軟性を有するチューブ６４との間に隙間があって、反射鏡２と柔軟性を有するチューブ６４が摺接されても、柔軟性を有するチューブ６４が例えばフッ素樹脂からなるチューブ６４のような摩擦係数の小さい材質であれば、反射鏡２と柔軟性を有するチューブ６４との間の摩擦が小さくなり、騒音の発生をさらに防止することができる。
なお、他方の給電線５５２とその径方向にある反射鏡２との間を柔軟性を有するチューブ６４で隙間なく埋め、反射鏡２と他方の給電線５５２が摺接しないように、反射鏡２と柔軟性を有するチューブ６４とが密着した場合であっても、高圧水銀ランプ５の他方の封止部５５２の振動をチューブ６４の柔軟性により吸収することができる。
【００５４】
第４の実施例に係る光源装置１は、反射鏡２の反射部２１に貫通孔２３を設け、給電線５５２を貫通孔２３から導出させ、貫通孔２３と給電線５５２との間に柔軟性を有するチューブ６４を介在させたことを特徴とすることにより、交流点灯時の給電線５５２と反射鏡２とが摺接されることを防止することができる。
【００５５】
本発明に係る光源装置１の第５の実施例を、図６を用いて説明する。
図６は本発明に係る光源装置１の説明図である。図６（ａ）は、高圧水銀ランプ５の一対の電極５２１，５２２に沿った断面図である。図６（ｂ）は、図６（ａ）の光源装置１の貫通孔２３の周辺を拡大した拡大図（図６（ａ）の貫通孔２３の周辺の点線の丸で囲った部分の拡大図）である。
図６には、図５に示したものと同じものに同一の符号が付されている。
【００５６】
図６に示す光源装置１は、ベース部材３に金属端子７３を設けた点と、柔軟性を有するチューブ６４を他方の給電線５２２の全長に設けた点とで、図５と相違する。図６の説明として、図５との相違点について述べる。
【００５７】
光源装置１には、他方の給電線５５２と、図示しない電源から伸びる給電線８とを、金属端子７３でかしめることで電気的接続を実現するものがある。
図６に示す第５の実施例に係る光源装置１では、この金属端子７３がベース部材３に例えば図示しない接着剤によって固定される。この金属端子７３には、かしめる前に図示しない穴部が設けられており、この穴部に高圧水銀ランプ５の他方の外部リード５４２から伸びる他方の給電線５５２が挿入され、図示しない電源から伸びる給電線８も挿入される。金属端子７３は、外部リード５４２から伸びる他方の給電線５５２と図示しない電源から伸びる給電線８とが挿入された状態でかしめられ、図６に示すように、他方の外部リード５４２と図示しない電源とが電気的に接続される。
【００５８】
他方の給電線５５２は、柔軟性を有するチューブ６４に挿入されることで、その略全長に柔軟性を有するチューブ６４が設けられる。柔軟性を有するチューブ６４で被覆された他方の給電線５５２は、反射鏡２の貫通孔２３を通って、金属端子７３に挿入される。他方の給電線５５２において、金属端子７３に挿入される部分は柔軟性を有するチューブ６４で被覆されていないので露出している。このため、他方の給電線５５２と電源から伸びる給電線８とは、金属端子７３がかしめられることで、直接又は金属端子７３を介して電気的に接続される。
【００５９】
柔軟性を有するチューブ６４は、他方の給電線５５２の略全長に設けられることにより、そのチューブ６４が他方の給電線５５２に固定されていなくても、他方の給電線５５２が接続された他方の外部リード５４２と金属端子７３とによってその移動が規制される。このため、図６（ｂ）に示すように、他方の給電線５５２において他方の外部リード５４２から金属端子７３までに伸びる略全長に柔軟性を有するチューブ６４を設けることにより、貫通孔２３と他方の給電線５５２との間には、常に柔軟性を有するチューブ６４を介在させることができる。
【００６０】
また、第５の実施例に係る光源装置１のように、ベース部材３に金属端子７３が設けられる場合であっても、第４の実施例に係る光源装置１で述べたように、貫通孔２３と他方の給電線５５２との間に介在されるように、熱収縮チューブ又は接着剤を設けることにより、柔軟性を有するチューブ６４を形成することができる。
さらに、柔軟性を有するチューブ６４は、貫通孔２３と他方の給電線５５２との間の介在される位置に、フィルム状の部材が他方の給電線５５２を被覆するように巻き回されることでチューブ状に形成され、その両端が接着剤などで固定されることで形成することもできる。
【００６１】
貫通孔２３と他方の給電線５５２との間を柔軟性を有するチューブ６４を介在させることにより、交流点灯時、反射鏡２には柔軟性を有するチューブ６４が接する。交流点灯時、高圧水銀ランプ５の他方の封止部５１３の振動が他方の給電線５５２に伝わっても、チューブ６４が柔軟性を有するので振動を吸収し、反射鏡２に振動が伝わることを抑制できる。柔軟性を有するチューブ６４の材質は、高圧水銀ランプ５からの照射熱に耐えられる耐熱性を有するものが好適に用いられる。具体的には、例えば、フッ素樹脂，シリコン樹脂，ポリイミド樹脂，エポキシ樹脂が柔軟性を有するチューブ６４の部材として用いることができる。
【００６２】
図６（ｂ）に示すように反射鏡２と柔軟性を有するチューブ６４との間に隙間があって、反射鏡２と柔軟性を有するチューブ６４が摺接されても、柔軟性を有するチューブ６４が例えばフッ素樹脂からなるチューブ６４のような摩擦係数の小さい材質であれば、反射鏡２と柔軟性を有するチューブ６４との間の摩擦が小さくなり、騒音の発生をさらに防止することができる。
なお、他方の給電線５５２とその径方向にある反射鏡２との間を柔軟性を有するチューブ６４で隙間なく埋め、反射鏡２と他方の給電線５５２が摺接しないように、反射鏡２と柔軟性を有するチューブ６４とが密着した場合であっても、高圧水銀ランプ５の他方の封止部５５２の振動をチューブ６４の柔軟性により吸収することができる。
【００６３】
第５の実施例に係る光源装置１は、反射鏡２の反射部２１に貫通孔２３を設け、給電線５５２を貫通孔２３から導出させ、貫通孔２３と給電線５５２との間に柔軟性を有するチューブ６４を介在させたことを特徴とすることにより、交流点灯時の給電線５５２と反射鏡２とが摺接されることを防止することができる。
【００６４】
本発明に係る光源装置１の第６の実施例を、図７及び図８を用いて説明する。
図７及び図８は本発明に係る光源装置１の説明図である。図７は高圧水銀ランプ５の一対の電極５２１，５２２に沿った断面図である。図８（ａ）は、図７の光源装置１の貫通孔２３の周辺を拡大した拡大図（図７の貫通孔２３の周辺の点線の丸で囲った部分の拡大図）である。図８（ｂ）は、図７の光源装置１の貫通孔２３に設けられるつば付き金属管（いわゆるハトメ）７１と金属端子７３とを組み立てる組立手段についての説明図であり、つば付き金属管（いわゆるハトメ）７１と金属端子７３を貫通孔２３から分解した状態の貫通孔２３周辺の拡大図である。なお、図８（ｂ）では他方の給電線５５２は図示していない。
図７及び図８には、図６に示したものと同じものには同一の符号が付されている。
【００６５】
図７及び図８に示す光源装置１は、反射鏡２の貫通孔２３につば付き金属管（いわゆるハトメ）７１を用いて金属端子７３を設けた点で、図６と相違する。図７及び図８の説明として、図６との相違点について述べる。
【００６６】
光源装置１には、反射鏡２が例えばホウケイ酸ガラスのような耐熱性ガラス材料で形成されるとき、金属端子７３はつば付き金属管（いわゆるハトメ）７１と座金７２によって、反射鏡２に固定されるものがある。
図８（ａ）に示すように、反射鏡２の貫通孔２３につば付き金属管７１が設けられる。つば付き金属管７１は、反射鏡２の貫通孔２３に設けられる円筒状の筒部７１２と、円筒状の筒部７１２の一端に設けられると共に円筒状の筒部７１２の外周径よりも拡径の外周面を有するつば部７１１とからなる。つば付き金属管７１はその筒部６４２の中心軸に伸びる貫通孔７１３を有する。このつば付き金属管７１が、通称ハトメといわれる部材である。
つば付き金属管７１は、そのつば部７１１が反射鏡２の反射面２１１に当接される。つば付き金属管７１の筒部７１２の他端（つば部７１１が設けられた側と反対側の端部）は、金属端子７３から伸びるリング状の固定部７３１の中央穴部７３２に挿入され、座金７２の穴部７２１が設けられる。つば付き金属管７１と座金７２は固定されているので、金属端子７３から伸びる固定部７３１は、反射鏡２と座金７２とに挟持される。
反射鏡２に固定された金属端子７３の図示しない穴部（図８（ｂ）に示す穴部７３３）には、反射鏡２の貫通孔２３に設けられたつば付き金属管７１を貫通する貫通孔７１３を通った他方の給電線５５２が挿入され、図示しない電源から伸びる給電線８も挿入されてかしめられる。これにより、金属端子７３において、他方の外部リード５４２から伸びる他方の給電線５５２と図示しない電源から伸びる給電線８とは固定され、電気的に接続される。
【００６７】
図８（ｂ）を用いて、つば付き金属管７１と、金属端子７３と、座金７２との組立について説明する。つば付き金属管７１の筒部７１２が、反射鏡２の反射面２１１側から貫通孔２３に向かって挿入される。挿入後、つば付き金属管７１のつば部７１１は、反射鏡２の反射面２１１に当接される。反射鏡２の貫通孔２３からは、つば付き金属管７１の筒部７１２の一端（つば部７１１とは反対側の端部）が突出する。この筒部７１２の突出した部分が金属端子７３から伸びる固定部７３１の穴部７３２に挿入され、さらに座金７２の穴部７２１に挿入される。挿入された座金７２は、専用治具により押しつぶされることで、つば付き金属管７１に固定される。これに伴い、金属端子７３はその固定部７３１が座金７２とつば付き金属管７１に挟持される。
【００６８】
つば付き金属管７１に挟持された金属端子７３には、他方の外部リード５４２から伸びる他方の給電線５５２が挿入される。他方の給電線５５２は、柔軟性を有するチューブ６４に挿入されることで、その略全長に柔軟性を有するチューブ６４が設けられる。柔軟性を有するチューブ６４で被覆された他方の給電線５５２は、反射鏡２の貫通孔２３を通って、金属端子７３に挿入される。他方の給電線５５２において、金属端子７３に挿入される部分は柔軟性を有するチューブ６４で被覆されていないので露出している。このため、他方の給電線５５２と電源から伸びる給電線８とは、金属端子７３がかしめられることで、直接又は金属端子７３を介して電気的に接続される。
【００６９】
柔軟性を有するチューブ６４は、他方の給電線５５２の略全長に設けられることにより、そのチューブ６４が他方の給電線５５２に固定されていなくても、他方の給電線５５２が接続された他方の外部リードと５４２金属端子７３とによってその移動が規制される。このため、図７に示すように、他方の給電線５５２において他方の外部リード５４２から金属端子７３までに伸びる略全長に柔軟性を有するチューブ６４を設けることにより、反射鏡２の貫通孔２３（詳細には、つば付き金属管７１の貫通孔７１３）と他方の給電線５５２との間には、常に柔軟性を有するチューブ６４を介在させることができる。
【００７０】
また、第６の実施例に係る光源装置１のように、ベース部材３に金属端子７３が設けられる場合であっても、第４の実施例に係る光源装置１で述べたように、貫通孔２３と他方の給電線５５２との間に介在されるように、熱収縮チューブ又は接着剤を設けることにより、柔軟性を有するチューブ６４を形成することができる。
さらに、柔軟性を有するチューブ６４は、貫通孔２３と他方の給電線５５２との間の介在される位置に、フィルム状の部材が他方の給電線５５２を被覆するように巻き回されることでチューブ状に形成され、その両端が接着剤などで固定されることで形成することもできる。
【００７１】
貫通孔２３と他方の給電線５５２との間を柔軟性を有するチューブ６４を介在させることにより、交流点灯時、反射鏡２には柔軟性を有するチューブ６４が接する。交流点灯時、高圧水銀ランプ５の他方の封止部５１３の振動が他方の給電線５５２に伝わっても、チューブ６４が柔軟性を有するので振動を吸収し、反射鏡２に振動が伝わることを抑制できる。柔軟性を有するチューブ６４の材質は、高圧水銀ランプ５からの照射熱に耐えられる耐熱性を有するものが好適に用いられる。具体的には、例えば、フッ素樹脂，シリコン樹脂，ポリイミド樹脂，エポキシ樹脂が柔軟性を有するチューブ６４の部材として用いることができる。
【００７２】
図８（ａ）に示すように反射鏡２と柔軟性を有するチューブ６４との間に隙間があって、反射鏡２と柔軟性を有するチューブ６４が摺接されても、柔軟性を有するチューブ６４が例えばフッ素樹脂からなるチューブ６４のような摩擦係数の小さい材質であれば、反射鏡２と柔軟性を有するチューブ６４との間の摩擦が小さくなり、騒音の発生をさらに防止することができる。
なお、他方の給電線５５２とその径方向にある反射鏡２との間を柔軟性を有するチューブ６４で隙間なく埋め、反射鏡２と他方の給電線５５２が摺接しないように、反射鏡２と柔軟性を有するチューブ６４とが密着した場合であっても、高圧水銀ランプ５の他方の封止部５５２の振動をチューブ６４の柔軟性により吸収することができる。
【００７３】
第６の実施例に係る光源装置１は、反射鏡２の反射部２１に貫通孔２３を設け、給電線５５２を貫通孔２３から導出させ、貫通孔２３と給電線５５２との間に柔軟性を有するチューブ６４を介在させ、前記貫通孔２３と前記柔軟性を有するチューブ６４との間に金属管７１を設けたことを特徴とする。これにより、第６の実施例に係る光源装置１は、交流点灯時の給電線５５２と反射鏡２とが摺接されることを防止することができる。さらに、給電線５５２と金属管７１とが摺接されることによる音の発生を防止することができる。
【００７４】
本発明に係る光源装置１の第７の実施例を、図９及び図１０を用いて説明する。
図９及び図１０は本発明に係る光源装置１の説明図である。図９（ａ）及び図１０（ａ）は、高圧水銀ランプ５の一対の電極５２１，５２２に沿った断面図である。図９（ｂ）は、図９(ａ)の光源装置１の貫通孔２３の周辺を拡大した拡大図（図９（ａ）の貫通孔２３の周辺の点線の丸で囲った部分の拡大図）である。図１０（ｂ）は、図１０（ａ）の光源装置１の貫通孔２３の周辺を拡大した拡大図（図１０（ａ）の貫通孔２３の周辺の点線の丸で囲った部分の拡大図）である。
【００７５】
図９に示す光源装置１は、他方の給電線５５２においてつば付き金属管７１の貫通孔７１３に対して他方の外部リード５４２側の部分を屈曲させた点で、図７及び図８と相違する。
図１０に示す光源装置１は、柔軟性を有するチューブ６４と共にこれに被覆された他方の給電線５５２を屈曲させた点で、図７及び図８と相違する。
図９及び図１０の説明として、図７及び図８との相違点について述べる。
【００７６】
図７のように、他方の給電線５５２における反射面２１１に囲まれる部分に柔軟性を有するチューブ６４を設けると、高圧水銀ランプ５からの照射光や反射面２１１からの反射光を遮光することになる。このため、他方の給電線５５２において、反射鏡２の貫通孔２３（詳細には、つば付き金属管７１の貫通孔７１３）と他方の給電線５５２との間に位置する部分に、柔軟性を有するチューブ６４を設けることが好ましい。
この手段として、上述した熱収縮チューブを用いた手段や接着剤を用いた手段によって、柔軟性を有するチューブ６４を所望の位置に設けることは有効である。さらに、所望の位置にフィルム状の部材をチューブ状に巻きまわして、その両端に接着剤などで固定する手段によって、柔軟性を有するチューブ６４を設けることも有効である。
【００７７】
上記の手段のように、柔軟性を有するチューブ６４が接着機能を有することで、反射鏡２の貫通孔２３（詳細には、つば付き金属管７１の貫通孔７１３）と他方の給電線５５２との間に位置する部分に設けられる。柔軟性を有するチューブ６４が接着機能を有さなくても所望の位置に設けられる手段として、図９及び図１０を用いた第７の実施例が挙げられる。
【００７８】
図９は、他方の給電線５５２におけるつば付き金属管７１の貫通孔７１３に対して他方の外部リード５４２側及び金属端子７３側を屈曲させた屈曲部５５３を設けた。つば付き金属管７１と他方の給電線５５２との間に介在させた柔軟性を有するチューブ６４がこの屈曲部５５３に挟まれることで、その移動が屈曲部５５３間で規制される。これにより、柔軟性を有するチューブ６４は、つば付き金属管７１と他方の給電線５５２との間に、常に介在されるように設けることができる。
さらに、他方の給電線５５２は、例えばニッケル（Ｎｉ）のような金属線からなり、簡便に屈曲させることができるので、所望の位置に柔軟性を有するチューブ６４を配置することができる。このため、図９に示す光源装置１は、高圧水銀ランプ５からの照射光や反射面からの反射光を柔軟性を有するチューブ６４で遮光することを防止できる。
【００７９】
他方の給電線５５２は、例えばニッケル（Ｎｉ）のような金属線からなり、簡便に屈曲させることができる。一方、柔軟性を有するチューブ６４は、フッ素樹脂，シリコン樹脂，ポリイミド樹脂又はエポキシ樹脂のようなチューブからなり、これらの部材は柔軟性を有する。このため、図１０に示すように、柔軟性を有するチューブ６４は、他方の給電線５５２と共に屈曲させることができる。これにより、柔軟性を有するチューブ６４は、つば付き金属管７１と他方の給電線５５２との間に、常に介在されるように設けることができる。さらに、所望の位置に柔軟性を有するチューブ６４を配置することができるので、図１０に示す光源装置１は、高圧水銀ランプから５の照射光や反射面２１１からの反射光を柔軟性を有するチューブ６４で遮光することを防止できる。
【００８０】
本発明に係る光源装置１の第８の実施例を、図１１及び図１２を用いて説明する。
図１１及び図１２は本発明に係る光源装置１の説明図である。図１１は、高圧水銀ランプ５の一対の電極５２１，５２２に沿った断面図である。図１２（ａ）は、図１１の光源装置１の貫通孔２３の周辺を拡大した拡大図（図１２（ａ）の貫通孔２３の周辺の点線の丸で囲った部分の拡大図）である。図１２（ｂ）は、図１０に示す柔軟性を有するチューブ６４の拡大図である。
【００８１】
図１１及び図１２に示す光源装置１は、柔軟性を有するチューブ６４をつば付き金属管（いわゆるハトメ）７１側に設けた点で、図７及び図８と相違する。図１１及び図１２の説明として、図７及び図８との相違点について述べる。
【００８２】
第８の実施例に係る光源装置１に設けられる柔軟性を有するチューブ６４は、図１２（ｂ）に示すように、一端につば部６４１が設けられた円筒部材からなる。この柔軟性を有するチューブ６４は、図１２（ａ）に示すように、その円筒状の筒部６４２がつば付き金属管７１の貫通孔７１３の内周面に当接するように設けられる。
【００８３】
この円筒状の筒部６４２には、図１２（ｂ）に示すように、他方の給電線５５２が挿入される小穴部６４４が設けられる。この小穴部６４４は、つば付き金属管７１の貫通孔７１３を通る筒部６４２において、反射鏡２の反射面２１１側とは反対側に設けられる。これにより、他方の外部リード５４２から伸びる他方の給電線５５２は、柔軟性を有するチューブ６４の中心軸を貫通する穴部６４３を通り、続いて筒部６４２に設けられた小穴部６４４を通って、金属端子７３に挿入される。金属端子７３には、図示しない電源から伸びる給電線８が挿入されてかしめられることで、他方の給電線５５２と電源から伸びる給電線８とは、直接又は金属端子７３を介して電気的に接続される。
【００８４】
柔軟性を有するチューブ６４の筒部６４２に設けた小穴部６４４に他方の給電線５５２を挿入させることで、柔軟性を有するチューブ６４は、その移動が小穴部６４４を通った他方の給電線５５２に規制される。このため、図１２（ａ）に示すように、つば付き金属管７１の貫通孔７１３と他方の給電線５５２との間には、常に柔軟性を有するチューブ６４を介在させることができる。
【００８５】
貫通孔２３と他方の給電線５５２との間を柔軟性を有するチューブ６４を介在させることにより、交流点灯時、反射鏡２には柔軟性を有するチューブ６４が接する。交流点灯時、高圧水銀ランプ５の他方の封止部５１３の振動が他方の給電線５５２に伝わっても、チューブ６４が柔軟性を有するので振動を吸収し、反射鏡２に振動が伝わることを抑制できる。柔軟性を有するチューブ６４の材質は、高圧水銀ランプ５からの照射熱に耐えられる耐熱性を有するものが好適に用いられる。具体的には、例えば、フッ素樹脂，シリコン樹脂，ポリイミド樹脂，エポキシ樹脂が柔軟性を有するチューブ６４の部材として用いることができる。
【００８６】
図１２（ａ）に示すように反射鏡２と柔軟性を有するチューブ６４との間に隙間があって、反射鏡２と柔軟性を有するチューブ６４が摺接されても、柔軟性を有するチューブ６４が例えばフッ素樹脂からなるチューブ６４のような摩擦係数の小さい材質であれば、反射鏡２と柔軟性を有するチューブ６４との間の摩擦が小さくなり、騒音の発生をさらに防止することができる。
なお、他方の給電線５５２とその径方向にある反射鏡２との間を柔軟性を有するチューブ６４で隙間なく埋め、反射鏡２と他方の給電線５５２が摺接しないように、反射鏡２と柔軟性を有するチューブ６４とが密着した場合であっても、高圧水銀ランプ５の他方の封止部５５２の振動をチューブ６４の柔軟性により吸収することができる。
【００８７】
また、柔軟性を有するチューブ６４につば部６４１を設けることにより、つば付き金属管７１の貫通孔７１３に柔軟性を有するチューブ６４を挿入するときに、その筒部６４２が反射鏡２の反射面２１１と反対側から反射面２１１側に通り抜けて落下してしまうことを防止でき、容易に組み立てられる。さらに、つば部６４１を反射鏡２における反射面２１１と反対側に設けることで、つば部６４１による反射面２１１の遮光を防止することができる。
【００８８】
第８の実施例に係る光源装置１は、反射鏡２の反射部２１に貫通孔２３を設け、給電線５５２を貫通孔２３から導出させ、貫通孔２３と給電線５５２との間に柔軟性を有するチューブ６４を介在させ、前記貫通孔２３と前記柔軟性を有するチューブ６４との間に金属管７１を設けたことを特徴とする。これにより、第８の実施例に係る光源装置１は、交流点灯時の給電線５５２と反射鏡２とが摺接されることを防止することができる。さらに、給電線５５２と金属管７１とが摺接されることによる音の発生を防止することができる。
【００８９】
反射鏡２の貫通孔２３（詳細には、つば付き金属管７１の貫通孔７１３）側に柔軟性を有するチューブ６４を設ける手段として、つば付き金属管７１の貫通孔７１３に接着剤を塗布・乾燥させること設けてもかまわない。
【００９０】
なお、図７〜図１２に示した光源装置１は、他方の給電線５５２と図示しない電源から伸びる給電線８とを金属端子７３でかしめた状態で、不図示のプロジェクタ装置に組み込まれることがある。このとき、金属端子７３にかしめられた図示しない電源から伸びる給電線８が引っ張られ、金属端子７３と金属端子７３から伸びる固定部７３１とが反射鏡２に対して回転させられることがある。また、この回転に伴い、金属端子７３の固定部７３１を挟持するつば付き金属管（いわゆるハトメ）７１や座金７２も回転してしまうことがある。
この回転を防止するため、図７〜図１２に示す座金７２を、その金属端子７３の固定部７３１側の面に向かった突起を複数設けた、いわゆる菊座金（ロックワッシャーや歯付きワッシャーともいう）にすることにより、金属端子７３の固定部７３１を反射鏡２に向かって押圧できると共に、設けられた複数の突起によって金属端子７３の固定部７３１との間で摩擦係数を大きくすることができ、金属端子７３の固定部７３１の回転を防止することができる。さらに、金属端子７３の固定部７３１を挟持するつば付き金属管７１や座金７２も押圧されるので、これらの回転も防止することできる。
さらに、座金７２を菊座金にすることに加えて、つば付き金属管７１のつば部７１１（詳細にはつば部７１１の反射鏡２側の面）と反射鏡２（詳細には反射鏡２の反射面２１１）との間に、回転防止を目的とした回転防止座金を設けてもかまわない（図７〜図１２には不図示）。この回転防止座金としては、前述の菊座金を用いることができ、さらに、中央に穴部を有する略Ｃ字状であると共に、穴部の中心軸方向にねじれたバネ座金（スプリングワッシャーともいう）や、中央に穴部を有するリング状の座金であると共に、穴部の中心軸方向にやや変形した波形座金（ウェーブワッシャーともいう）など、穴部の中心軸方向に向かって押し圧できるバネ性を有するものが用いることができる。バネ座金や波形座金は、穴部につば付き金属管７１の筒部７１２が挿入され、つば付き金属管７１のつば部７１１（詳細にはつば部７１１の反射鏡２側の面）と反射鏡２（詳細には反射鏡２の反射面２１１）との間に設けることにより、つば付き金属管７１のつば部７１１と反射鏡２とをつば付き金属管７１の筒部７１２の中心軸方向に押圧することができ、これにより、つば付き金属管７１の回転を好適に防止することができる。さらに、つば付き金属管７１の筒部７１２の端部に固定される座金７２や、座金７２に当接する金属端子７３の固定部７３１の回転を好適に防止することができる。
【００９１】
＜実験例１＞
本発明に係る光源装置１における効果を示すため、以下に示す実験を行なった。実験に用いた光源装置１の構成は図１に示すものと同一である。
実験に用いた反射鏡２はホウケイ酸ガラスからなり、シリカ（ＳｉＯ２）とチタニア（ＴｉＯ２）とからなる誘電体多層膜を反射面２１１として設けたものである。反射鏡２の首部２２の端部にはセラミックからなるベース部材３が配置される。
実験に用いた高圧水銀ランプ５は８種類用意した。これらのランプ５は、放電管５１が石英ガラスにより形成され、放電管５１の発光部５１１の内部にタングステンからなる電極５２１，５２２が封入され、放電管５１の封止部５１２，５１３にモリブデンからなる箔５３が埋設され、放電管５１の封止部５１２，５１３の端部からはモリブデンからなる外部リード５４１，５４２が突出する。また、外部リード５４１，５４２に電気的に接続された給電線５５１，５５２はニッケルにより形成される。
準備した８種類のランプ５の共通の仕様は、発光部５１１の内容積が８０ｍｍ３であり、発光部５１１に封入された電極５２１，５２２の電極５２１，５２２間距離が１．２ｍｍで、発光部５１１に封入された水銀量が２８０ｍｇ／ｍｍ３で、アルゴンガスが１３ＫＰａである。また、定格電圧が８０Ｖで、定格電力が２７０Ｗである。
準備した８種類のランプには、同一の反射鏡及び同一のベース部材を用いた。このとき、各ランプ５は、封止部５１２，５１３の伸びる方向（中心軸方向）において、電極５２１，５２２間の中心から一方の封止部５１２の外周とベース部材４の内周との間に充填された接着剤６１の発光部５１１側端面６１１までの距離Ｌ２が２０ｍｍとなるように配置され、ベース部材３に無機質系接着剤６１により固定される。
準備した８種類の高圧水銀ランプ５のうち、一方の封止部５１２の直径Ｒがφ１０ｍｍのランプが５種類ある。これら５種類の高圧水銀ランプ５を備えた光源装置１をＡ〜Ｅとし、Ａ〜Ｅの光源装置１の各仕様について説明する。Ａの光源装置１は接着剤６１の充填された長さＬ１が３ｍｍとなるように形成され、従ってＡの光源装置１のＬ１／Ｒは０．３となる。Ｂの光源装置１は接着剤６１の充填された長さＬ１が４ｍｍとなるように形成され、従ってＢの光源装置のＬ１／Ｒは０．４となる。Ｃの光源装置１は接着剤６１の充填された長さＬ１が５ｍｍとなるように形成され、従ってＣの光源装置１のＬ１／Ｒは０．５となる。Ｄの光源装置１は接着剤６１の充填された長さＬ１が６ｍｍとなるように形成され、従ってＤの光源装置のＬ１／Ｒは０．６となる。Ｅの光源装置１は接着剤６１の充填された長さＬ１が８．７ｍｍとなるように形成され、従ってＥの光源装置１のＬ１／Ｒは０．８７となる。
準備した８種類の高圧水銀ランプ５のうち、上述の５種類の高圧水銀ランプ５を除く３種類のランプを備えた光源装置１をＦ〜Ｈとし、Ｆ〜Ｈの光源装置１の各仕様について説明する。Ｆの光源装置１は一方の封止部５１２の直径Ｒがφ５．８ｍｍ、接着剤６１の充填された長さＬ１が４．１ｍｍとなるように形成され、従ってＦの光源装置１のＬ１／Ｒは０．７となる。Ｇの光源装置１は一方の封止部５１２の直径Ｒがφ５．８ｍｍ、接着剤６１の充填された長さＬ１が５．８ｍｍとなるように形成され、従ってＧの光源装置１のＬ１／Ｒは１となる。Ｈの光源装置１は一方の封止部５１２の直径Ｒがφ６．４ｍｍ、接着剤６１の充填された長さＬ１が８．３ｍｍとなるように形成され、従ってＨの光源装置１のＬ１／Ｒは１．３となる。
ランプ５点灯時、周波数３７０Ｈｚの交流電流を入力した。
実験は、反射鏡２の近傍に音計測マイクを設置し、上述の光源装置１のＡ〜Ｈのそれぞれのランプ５点灯開始後の２０秒経過時，６０秒経過時，１２０秒経過時，１８０秒経過時及び２４０秒経過時の騒音レベル（ｄＢ）を測定した。
Ａ〜Ｅの光源装置１の測定結果を図１３に示す。図１３は横軸が点灯経過時間（ｓ）で、縦軸が騒音レベル（ｄＢ）である。図１３には、Ａ〜Ｅの光源装置１の各経過時間（ｓ）における騒音レベル（ｄＢ）をプロットし、各光源装置１におけるプロットを折れ線でつないだ。図１３に示すように、Ｌ１／Ｒが０．５以上のＣ〜Ｅの光源装置１は点灯開始から１８０秒経過時までの間の騒音レベルを、Ｌ１／Ｒが０．５未満のＡ及びＢの光源装置よりも１５ｄＢも小さくすることができた。
さらに、Ｇ〜Ｈの光源装置１の測定結果を図１４に示す。なお、図１４には、Ｇ〜Ｈの光源装置１に対して、一方の封止部５１２の直径Ｒが異なるＡ〜Ｃの測定結果も示している。図１４は横軸が点灯経過時間（ｓ）で、縦軸が騒音レベル（ｄＢ）である。図１４には、Ａ〜Ｃ及びＧ〜Ｈの光源装置１の各経過時間（ｓ）のおける騒音レベル（ｄＢ）をプロットし、各光源装置１におけるプロットを折れ線でつないだ。図１４に示すように、Ｌ１／Ｒが０．５以上のＣ及びＧ〜Ｈの光源装置１は点灯開始から１８秒経過時までの間の騒音レベルを、Ｌ１／Ｒが０．５未満のＡ及びＢの光源装置よりも１５ｄＢも小さくすることができた。
上記の図１３及び図１４の測定結果により、光源装置１のＬ１／Ｒを０．５以上にすることで、点灯初期における光源装置１からの音量を効果的に抑制することができる。
【００９２】
＜実験例２＞
また、本発明に係る光源装置１の高圧水銀ランプ５の電極５２１，５２２間の中心から一方の封止部５１２の外周とベース部材４の内周との間に充填された接着剤６１の発光部５１１側端面６１１までの距離Ｌ２を規定したことによる効果を確認するために、以下に示す実験を行なった。実験に用いた光源装置１の構成は図１に示すものと同一である。
実験に用いた反射鏡２はホウケイ酸ガラスからなり、シリカ（ＳｉＯ２）とチタニア（ＴｉＯ２）とからなる誘電体多層膜を反射面２１１として設けたものである。反射鏡２の首部２２の端部にはセラミックからなるベース部材３が配置される。
実験に用いた高圧水銀ランプ５は８種類用意した。これらのランプ５は、放電管５１が石英ガラスにより形成され、放電管５１の発光部５１１の内部にタングステンからなる電極５２１，５２２が封入され、放電管５１の封止部５１２，５１３にモリブデンからなる箔５３が埋設され、放電管５１の封止部５１２，５１３の端部からはモリブデンからなる外部リード５４１，５４２が突出する。また、外部リード５４１，５４２に電気的に接続された給電線５５１，５５２はニッケルにより形成される。
準備した８種類のランプ５の共通の仕様は、発光部５１１の内容積が８０ｍｍ３であり、発光部５１１に封入された電極５２１，５２２の電極５２１，５２２間距離が１．２ｍｍで、発光部５１１に封入された水銀量が２８０ｍｇ／ｍｍ３で、アルゴンガスが１３ＫＰａである。また、定格電圧が８０Ｖで、定格電力が２７０Ｗである。
準備した８種類のランプ５には、同一の反射鏡２及び同一のベース部材３を用いた。このとき、各ランプ５は、ベース部材３に無機質系接着剤６１により固定される。
準備した８種類の高圧水銀ランプ５を備えた光源装置１をＩ〜Ｐとし、Ｉ〜Ｐの光源装置１の各仕様について説明する。
Ｉ〜Ｍの光源装置１は、一方の封止部５１２の外周とベース部材３の内周との間に充填された接着剤６１の長さＬ１が７ｍｍである。Ｉの光源装置１は、一方の封止部５１２の直径Ｒがφ５．８ｍｍで、電極５２１，５２２間の中心から接着剤６１の発光部５１１側端面６１１までの長さＬ２が１４ｍｍである。Ｊの光源装置１は、一方の封止部５１２の直径Ｒがφ５．８ｍｍで、電極５２１，５２２間の中心から接着剤６１の発光部５１１端面６１１までの長さＬ２が１６ｍｍである。Ｋの光源装置１は、一方の封止部５１２の直径Ｒがφ５．８ｍｍで、電極５２１，５２２間の中心から接着剤６１の発光部５１１端面６１１までの長さＬ２が１７ｍｍである。Ｌの光源装置１は、一方の封止部５１２の直径Ｒがφ５．８ｍｍで、電極５２１，５２２間の中心から接着剤６１の発光部５１１端面６１１までの長さＬ２が１８ｍｍである。Ｍの光源装置１は、一方の封止部５１２の直径Ｒがφ５．８ｍｍで、電極５２１，５２２間の中心から接着剤６１の発光部５１１端面６１１までの長さＬ２が２０ｍｍである。
Ｎの光源装置１は、接着剤６１の充填された長さＬ１が９ｍｍで、一方の封止部５１２の直径Ｒがφ１０ｍｍで、電極５２１，５２２間の中心から接着剤６１の発光部５１１端面６１１までの長さＬ２が１６ｍｍである。Ｏの光源装置１は、接着剤６１の充填された長さＬ１が１３ｍｍで、一方の封止部５１２の直径Ｒがφ６．４ｍｍで、電極５２１，５２２間の中心から接着剤６１の発光部５１１端面６１１までの長さＬ２が１８ｍｍである。Ｐの光源装置１は、接着剤６１の充填された長さＬ１が５ｍｍで、一方の封止部５１２の直径Ｒがφ１０ｍｍで、電極５２１，５２２間の中心から接着剤６１の発光部５１１端面６１１までの長さＬ２が２０ｍｍである。
ランプ５点灯時、周波数３７０Ｈｚの交流電流を入力した。
実験は、反射鏡２の近傍に音計測マイクを設置し、上述の光源装置１のＩ〜Ｐのそれぞれのランプ５点灯開始後の２０秒経過後のピーク周波数を測定した。
Ｉ〜Ｐの光源装置１の測定結果を図１５に示す。図１５は、横軸が電極５２１，５２２間の中心から一方の封止部５１２の外周とベース部材４の内周との間に充填された接着剤６１の発光部５１１側側面６１１までの距離Ｌ２（ｍｍ）で、縦軸が周波数（ＫＨｚ）である。図１５には、Ｉ〜Ｐの光源装置１の測定時のピーク周波数をプロットした。また、図１５には、接着剤６１の充填された長さＬ１が７ｍｍであるＩ〜Ｍの光源装置１の測定結果から、近似曲線を描いた。
８〜１２ＫＨｚの周波数を、実験協力者１０名で音確認した結果、１０名が耳障りな音であると感じた。一方、図１５に示すように、電極５２１，５２２間の中心から接着剤６１までの長さＬ２が１６ｍｍの光源装置１のＪ及びＮはピーク周波数が約１４ＫＨｚであり、電極５２１，５２２間の中心から接着剤６１までの長さＬ２が２０ｍｍの光源装置１のＬ及びＯはピーク周波数が約７〜８ＫＨｚであった。これらのピーク周波数を、実験協力者１０名で音確認した結果、９名が耳障りな音であると感じなかった。特に、図１５に示すように電極５２１，５２２間の中心から接着剤６１までの長さＬ２が１４ｍｍのＩの光源装置１はピーク周波数が約２０ＫＨｚであり、これを実験協力者１０名で音確認した結果、１０名が耳障りな音であると感じなかった。この２０ＫＨｚの周波数は、人間に感知されにくい周波数と言われている。
以上から、一対の電極５２１，５２２方向において、電極５２１，５２２間の中心から接着剤６１までの距離Ｌ２をＬ２≦１６ｍｍ又はＬ２≧２０ｍｍにすることにより、光源装置１からの音が人間には耳障りな音として感じにくくすることができると分かった。特に、封止部５１２，５１３の伸びる方向（中心軸方向）において、電極５２１，５２２間の中心から接着剤６１までの距離Ｌ２をＬ２≦１４ｍｍにすることにより、人間の可聴範囲外にすることができると分かった。
【００９３】
＜実験例３＞
実験１で示したＨの光源装置１を用いて、貫通孔２３と他方の給電線５５２と間に接着剤６１を充填したことによる又は柔軟性を有するチューブ６４を設けることによる騒音抑制の効果について確認した。
実験１で示したＨの光源装置１において、図４に示すように、貫通孔２３と他方の給電線５５２との間に無機質系接着剤６１を充填した光源装置１をＨ１とし、図５に示すように、他方の給電線５５２にフッ素樹脂からなる柔軟性を有するチューブ６４を設けて他方の給電線５５２と反射鏡２との摺接を防止した光源装置１をＨ２とする。
ランプ５点灯時、周波数３７０Ｈｚの交流を入力した。
実験は、反射鏡２の近傍に音計測マイクを設置し、上述の光源装置１のＨ，Ｈ１及びＨ２をランプ５点灯開始後の２０秒経過時，６０秒経過時，１２０秒経過時，１８０秒経過時及び２４０秒経過時の音量を測定した。
Ｈ，Ｈ１及びＨ２の光源装置１の測定結果は図１６に示す。図１６は横軸が点灯経過時間（ｓ）で、縦軸が騒音レベル（ｄＢ）である。図１６には、Ｈ，Ｈ１及びＨ２の光源装置１の各経過時間（ｓ）における騒音レベル（ｄＢ）をプロットし、各光源装置１におけるプロットを折れ線でつないだ。図１６に示すように、ランプ５点灯開始から１２０秒経過以降は光源装置１のＨ１及びＨ２からの音が、Ｈの光源装置１からの音よりも音量が２０ｄＢ小さくすることができた。特に、Ｈ２の光源装置１は交流点灯開始直後から音量を、さらに抑制することができた。
【図面の簡単な説明】
【００９４】
【図１】本発明に係る光源装置の説明図である。
【図２】本発明に係る光源装置の説明図である。
【図３】本発明に係る光源装置の説明図である。
【図４】本発明に係る光源装置の説明図である。
【図５】本発明に係る光源装置の説明図である。
【図６】本発明に係る光源装置の説明図である。
【図７】本発明に係る光源装置の説明図である。
【図８】本発明に係る光源装置の説明図である。
【図９】本発明に係る光源装置の説明図である。
【図１０】本発明に係る光源装置の説明図である。
【図１１】本発明に係る光源装置の説明図である。
【図１２】本発明に係る光源装置の説明図である。
【図１３】本発明に係る光源装置の実験結果の説明図である。
【図１４】本発明に係る光源装置の実験結果の説明図である。
【図１５】本発明に係る光源装置の実験結果の説明図である。
【図１６】本発明に係る光源装置の実験結果の説明図である。
【図１７】従来に係る光源装置の実験結果の説明図である。
【符号の説明】
【００９５】
１      光源装置
２      反射鏡
２１    反射部
２１１  反射面
２２    首部
２３    貫通孔
２４    挿入口
３      ベース部材
３１    挿入口
４      光出射板
５      高圧水銀ランプ
５１    放電管
５１１  発光部
５１２  一方の封止部
５１３  他方の封止部
５２１  一方の電極
５２２  他方の電極
５３    箔
５４１  一方の外部リード
５４２  他方の外部リード
５５１  一方の給電線
５５２  他方の給電線
５５３  屈曲部
６１    接着剤
６１１  接着剤の発光部側端面
６２    接着剤
６３    接着剤
６４    柔軟性を有するチューブ
６４１  つば部
６４２  筒部
６４３  穴部
６４４  小穴部
６４５  屈曲部
７１    つば付き金属管（ハトメ）
７１１  つば部
７１２  筒部
７１３  貫通孔
７２    座金
７２１  穴部
７３    金属端子
７３１  固定部
７３２  固定部の穴部
７３３  金属端子の穴部
８      電源からの給電線
Ｌ１    接着剤の長さ
Ｌ２    電極間の中心から接着剤までの距離
Ｌ３    反射鏡の貫通孔と給電線との間
Ｌ４    つば付き金属管の貫通孔と給電線との間
Ｒ      封止部の外径
【図１】
0005057063.tif 000002
【図２】
0005057063.tif 000003
【図３】
0005057063.tif 000004
【図４】
0005057063.tif 000005
【図５】
0005057063.tif 000006
【図６】
0005057063.tif 000007
【図７】
0005057063.tif 000008
【図８】
0005057063.tif 000009
【図９】
0005057063.tif 000010
【図１０】
0005057063.tif 000011
【図１１】
0005057063.tif 000012
【図１２】
0005057063.tif 000013
【図１３】
0005057063.tif 000014
【図１４】
0005057063.tif 000015
【図１５】
0005057063.tif 000016
【図１６】
0005057063.tif 000017
【図１７】
0005057063.tif 000018